(57)【特許請求の範囲】
【請求項１】
既存の新生瓦屋根の軒先部分を改修する構造において、略断面を略コ字状に屈曲した嵌合溝と、該嵌合溝の上端を後方に延長した設置片と、該設置片の後方先端を上方に屈曲させた立ち上がり片と、該立ち上がり片の上端を前方にＬ字状に屈曲した引っかけ片と、前記立ち上がり片の下端を後方に屈曲して延長した固定片とからなる長尺状の化粧板と、略断面を水平な下地片と、該下地片の前方端部を前記化粧板の嵌合溝の形状と略同一に略断面を略コ字状に屈曲した、垂下片と折り返し片とからなる差込部と、該折り返し片の端部を下方に屈曲して延長した水切りとからなる長尺状の下地板の２部材からなり、化粧板の嵌合溝に下地板の差込部を挿入して嵌合すると共に、設置片と固定片に下地片を当接して一体化する唐草と、略断面を水平面状の支持面と、該支持面の一端を上方に略Ｌ字状に屈曲した係合片とを形成した長尺状のスペーサと、幅方向一端部を化粧面側に略Ｕ字状に屈曲して係合溝を形成し、他端部には裏面側に略コ字状に屈曲して段差化粧面と差込係合片とを形成した段葺き用の屋根材と、該段葺き用の屋根材の裏面側に重ね張りする長尺板状の裏打材とを備え、既存の新生瓦屋根の先端部分に唐草の嵌合溝、差込部が嵌合、係止されて固定され、唐草の引っかけ片にスペーサの係合片が嵌合、係止され、スペーサの支持面に裏打材の先端部を当接して既存の新生瓦屋根との間に断面略３角形状の空隙を形成すると共に、スペーサの係合片に段葺き用の屋根材の段差化粧面を嵌合、係止してなることを特徴とする新生瓦屋根の軒先部改修構造。
【発明の詳細な説明】
【０００１】
【産業上の利用分野】
本発明は既存の新生瓦屋根を唐草と段葺き用の屋根材とを用いて改修するための特に軒先部分に関する改修構造に関するものである。
【０００２】
【従来の技術】
この種新生瓦屋根の軒先部分を改修するには、従来は既存の新生瓦屋根材を全部取り去り、その下地上に必要によりアスファルトルーフィング等の防水シートを施設し、軒先のシート上に唐草を施工し、各種屋根材を施工していくものであった。
【０００３】
【発明が解決しようとする課題】
しかしながら、既存の新生瓦屋根材を取り去るには、多大の費用、時間がかかると共に、残材が多量に出るものであった。また、近年は労働力不足が大きな問題となってきており、今後は労働力不足を考えずに改修方法を見いだすことはできなくなってきている。
【０００４】
【課題を解決するための手段】
本発明はこのような欠点を除去するために、既存の新生瓦屋根を取り去ることなく、唐草の嵌合溝および差込部で既存の新生瓦屋根の先端を、水切りで既存の唐草をカバーし、新規の段葺き用の屋根材で納めることにより景観を重視し、唐草と段葺き用の屋根材の間にスペーサを介在させ、ガタツキや変形がなく施工できると共に、段葺き用の屋根材および裏打材の第１段目と第２段目以降の段差の角度を略同一として景観を向上させ、しかも唐草の引っかけ片を固定片の途中に形成したので、新規の段葺き用の屋根材が軒先方向に突出せず既存の雨樋をそのまま流用することができる新生瓦屋根の軒先部改修構造を提案するものである。
【０００５】
【実施例】
以下に図面を用いて本発明に係る新生瓦屋根の軒先部改修構造の一実施例について詳細に説明する。図１は上記改修構造の代表例を示す説明図であり、既存の新生瓦屋根（以下、単に既存屋根という）α、固定具β、唐草Ａ、スペーサＢ、裏打材Ｃ、段葺き用の屋根材（以下、単に屋根材という）Ｄ、雨樋Ｅとから構成されているものである。
【０００６】
すなわち、既存屋根αは野地板α1 、アスファルトルーフィングα2 、新生瓦屋根材α3 、既存唐草α4 等よりなる構造からなるものであり、改修が必要な位に古くなった屋根である。
【０００７】
唐草Ａは例えば図２（ａ）に示す化粧板Ａ1 、図２（ｂ）に示す下地板Ａ2 の２部材からなり、共に金属板（カラー鋼板、銅板、アルミニウム板、チタン板、ステンレス板、サンドイッチ鋼板、クラッド鋼板等）等をロール成形、プレス成形等によって長尺体に形成したもの、あるいは、各種合成樹脂、アルミニウム合金等を押出成形した長尺体からなるものである。
【０００８】
さらに説明すると、化粧板Ａ1 は略断面を略コ字状に屈曲した嵌合溝１と嵌合溝１の上端を後方に延長した設置片２と設置片２の後方端部を上方に屈曲させた立ち上がり片３と、立ち上がり片３の上端を前方にＬ字状に屈曲した引っかけ片４と、立ち上がり片３の下端を後方に屈曲して延長した固定片５とからなる長尺状であり、嵌合溝１と固定片５の先端にそれぞれ舌片１ａ、舌片５ａを形成したものである。
【０００９】
また、下地板Ａ2 は略断面を水平な下地片６と、下地片６の前方端部を化粧板Ａ1 の嵌合溝１の形状と略同一に断面を略コ字状に屈曲した垂下片８と折り返し片９とからなる差込部７と、折り返し片９の後方端部を下方に屈曲して延長した水切り１０とからなる長尺状であり、さらには下地片６の後方端部を折り返した舌片６ａと、水切り１０の下端を内方に屈曲した屈曲部１０ａを形成したものである。
【００１０】
化粧板Ａ1 と下地板Ａ2 との装着は図１に示すように、下地板Ａ2 の差込部７に化粧板Ａ1 の嵌合溝１を嵌挿して嵌合溝１と差込部７の各々の弾性力をもって係止すると共に、下地板Ａ2 の下地片６に化粧板Ａ1 の設置片２と固定片５を載置当接して一体に装着するものである。また、唐草Ａを２部材としたのは、各部材をある程度単純な形状に分割した方がハンドリングが良く、複雑な形状の部材を施工するのが容易であることと、既存屋根αの軒先先端を被覆し、かつ既存唐草α4 を係止材として機能させつつ外観から被覆する点で利点があるためである。
【００１１】
嵌合溝１は図１に示すように、差込部７と共に既存唐草α4 の先端に突出している既存の新生瓦屋根材α3 の先端部分を嵌合するものであり、新生瓦屋根材α3 の保護、隠蔽および唐草Ａの施工の際の位置決めや仮押さえのガイドとなる部分である。設置片２および立ち上がり片３は既存の新生瓦屋根材α3 を被覆し、意匠性を向上させるものであり、雨水等の水切り部分として、雨樋Ｅにもれなく流出させるものである。
【００１２】
固定片５は釘等の固定具βを介して、化粧板Ａ1 を既存屋根αに固定する部分である。また、立ち上がり片３は設置片２の後端に形成するものであり、図１に示すように化粧板Ａ1 の嵌合溝１の最前線と施工された屋根材Ｄの最前線との距離△ｔの値を小さくし、既存の雨樋Ｅをそのまま使用できるようにしたものである。また、引っかけ片４は後記するスペーサＢの係合片１２を嵌合する部分である。さらに舌片１ａ、舌片５ａは意匠性の向上と危険防止のため、特にロール成形を用いて形成した化粧板Ａ1 に設けるものである。
【００１３】
下地片６は、設置片２および固定片５下に当接するように既存屋根α上に敷設され、必要に応じて、釘等の固定具βを用いて既存屋根α上に固定する部分である。下地片６の後方端部は、施工後に固定片５の後方端部よりも後方に位置するものである。舌片６ａは意匠性の向上と危険防止のため、特にロール成形を用いて形成した化粧板Ａ1 に設けるものである。
【００１４】
差込部７は、下地片６の前方端部を化粧板Ａ1 の嵌合溝１の形状と略同一に断面を略コ字状に屈曲した垂下片８と折り返し片９とからなり、前述した嵌合溝１と共に既存唐草α4 の先端に突出している既存の新生瓦屋根材α3 の先端部分を嵌合するものであり、嵌合溝１と弾性力をもって係合し、化粧板Ａ1 と下地板Ａ2 を一体化するものである。水切り１０は折り返し片９の後方端部を下方に屈曲して延長し、下端にて内方に折り返した屈曲部１０ａを設けたもので、既存唐草α4 を外観より被覆し、意匠性を向上させると共に、唐草Ａの水切りを良好にするものである。屈曲部１０ａを既存唐草α4 に係合することにより、既存唐草α4 との結合を強固にし、バタつきを防止するものである。
【００１５】
スペーサＢは図３に示すように、プラスチック樹脂、ＦＲＰ樹脂等の合成樹脂を用いて押出成形して長尺状に形成したもの、あるいは金属板のロール成型品、アルミ合金の押出成型品等である。その形状は略断面を水平面状の支持面１１と、支持面１１の一端を上方に略Ｌ字状に屈曲した係合片１２と、支持面１１の両端を下方に２本垂下した支持脚１３、１４とから形成したものである。
【００１６】
スペーサＢは図１に示すように、その係合片１２を唐草Ａの引っかけ片４に引っかけ嵌合し、支持脚１３、１４を唐草Ａの固定片５上に当接して装着するものであり、唐草Ａと屋根材Ｄの隙間に介在され、屋根材Ｄのガタツキの防止、係合安定性の向上、防水性の向上を図るものである。
【００１７】
さらにスペーサＢは、支持面１１の上に裏打材Ｃの先端を当接することができるので、屋根材Ｄおよび裏打材Ｃの第１段目と第２段目以降の段差の角度を略同一とし、景観を向上させるものである。
【００１８】
また、図４は裏打材Ｃの例であり、長方形状の長尺板材で、その素材としては、シージングボード、シージングインシュレーションボード、ロックウール板、合板、スチレンホード等のフォーム板、もしくはウレタンフォーム、イソシアヌレートフォーム、フェノールフォーム、塩ビフォーム等の合成樹脂発泡体、またはこれらからなる複合板等より形成したものである。裏打材Ｃは既存屋根αの強度を向上させると共に、屋根材Ｄの支持材、嵩上材、断熱材、施工の際のガイド、雨音の軽減材として機能するものである。
【００１９】
屋根材Ｄは表面から見た斜視図である図５（ａ）、裏面から見た斜視図である図５（ｂ）に示すように長尺板状であり、その幅方向一端部を化粧面１５側に略Ｕ字状に屈曲して係合溝１６を形成すると共に、再び略コ字状に折り返して嵌合縁１７を形成し、さらには嵌合縁１７の端縁を下方に屈曲すると共に化粧面１５と略平行で外方にＬ字状に屈曲した固定片１８を形成したものである。さらに他端部には裏面１９側に略コ字状に屈曲して段差化粧面２０と差込係合片２１とを形成したものである。
【００２０】
また化粧面１５の長手方向の両側端縁をそれぞれ裏面１９側にハゼ状に屈曲した連結片２２を形成したものである。なお、図５（ａ）では長手方向の強度の強化と、外部からの雨水等が毛細管現象により内部に侵入することを防止する意味で凹条２３を係合溝１６と差込係合片２１に形成している。
【００２１】
裏打材Ｃは図１に示すように、スペーサＢの支持面１１に先端を当接し段差を形成し、屋根材ＤはスペーサＢの係合片１２を段差化粧片２０と差込係合片２１で引っかけて嵌合し、装着するものである。よって、既存屋根αと裏打材Ｃの間には断面略三角形の空隙γが形成されることになり、この空隙γは新鮮な空気等の流通路として機能させることができ裏打材Ｃが有する断熱材、防音材、調湿材等の機能をさらに助長させると共に、結露を防止して既存屋根α、屋根材Ｄ等の腐食防止に寄与するものである。なお、図１においてＦは防水シートであり、必要に応じて既存屋根α上に敷設するものである。
【００２２】
また、第２段目以降の裏打材Ｃおよび屋根材Ｄの連結は、図６に示すように、重ね張りしてある下段の裏打材Ｃ1 上に下段の屋根材Ｄ1 を当接し、その固定片１８を釘等の固定具βで既存屋根αに固定し、そして、上段の裏打材Ｃ2 の先端を下段の屋根材Ｄ1 の固定片１８上に敷設し、下段の屋根材Ｄ1 の係合溝１６に上段の屋根材Ｄ2 の差込係合片２１を差し込んで嵌合し、順次軒方向から棟方向へと施工していくものである。
【００２３】
次に、施工例を通して本発明に係る新生瓦屋根の軒先部改修構造について詳細に説明する。先ず図７に示すように野地板α1 、アスファルトルーフィングα2 、新生瓦屋根材α3 、既存唐草α4 等よりなる既存屋根α上に必要に応じて防水シートＦを敷設する。次に図８に示すように、既存唐草α4 の先端部分に下地板Ａ2 の屈曲部１０ａを係合し、かつ新生瓦屋根材α3 の先端部分に差込部７を嵌合、装着して、必要に応じて下地片６の後方端部近傍にて図示しない固定具βで既存屋根αに固定し、次に差込部７に化粧板Ａ1 の嵌合溝１を嵌合し、固定片５にて下地片６をも介して固定具βで既存屋根αに一体に固定し、唐草Ａを形成する。
【００２４】
さらに、図９に示すように、スペーサＢの係合片１２を化粧板Ａ1 の引っかけ片４に嵌合し、支持脚１３、１４を固定片５上に当接する。今度は図１０に示すように、裏打材Ｃの先端をスペーサＢの支持面１１に当接する。最後に、図１に示すように、屋根材Ｄの段差化粧面２０および差込係合片２１をスペーサＢの係合片１２に嵌合させ、裏打材Ｃの上に敷設して、軒先部の施工を完了するものである。
【００２５】
以上説明したのは本発明に係る新生瓦屋根の軒先部改修構造の一実施例にすぎず、図１１〜図１３に示すような唐草Ａ、図１４に示すようなスペーサＢ、図１５に示すような裏打材Ｃ、図１６に示すような屋根材Ｄを用いた構造とすることもできる。
【００２６】
すなわち、図１１（ａ）〜（ｄ）は唐草Ａを構成する化粧板Ａ1 の変形例であり、（ａ）図は後記する図１２（ａ）の下地板Ａ2 と共に用いるもので、立ち上がり片３の外側を傾斜させた例、（ｂ）図は嵌合溝１を変形し固定片５を後方に延長して中途に凸部を設けた例、（ｃ）図は後記する図１２（ｃ）の下地板Ａ2 と共に用いるもので、嵌合溝１を変形した例、（ｄ）図は引っかけ片４の先端に軟質のパッキンＧを介在した例である。
【００２７】
また、図１２（ａ）〜（ｄ）は唐草Ａを構成する下地板Ａ2 の変形例であり、（ａ）図は図１１（ａ）の化粧板Ａ1 と共に用い、立ち上がり片３の間隙に嵌挿する突起を設けた例、（ｂ）図は下地片６を後方に延長し中途に凸部を設けた例、（ｃ）図は図１１（ｃ）の化粧板Ａ1 と共に用い、垂下片８を変形し屈曲部１０ａをも変形した例、（ｄ）図は水切り１０を下方に延長し屈曲部１０ａを変形した例である。
【００２８】
図１３（ａ）、（ｂ）は唐草Ａを構成する化粧板Ａ1 の変形例であり、固定片５に補強用の凹凸２４を形成した例である。
【００２９】
図１４（ａ）〜（ｈ）はスペーサＢを各々変形した例であり、特に図１４（ｆ）は支持脚１３、１４を切除した例、図１４（ｇ）、（ｈ）は薄金属板をロール成形して形成した例である。
【００３０】
図１５（ａ）〜（ｄ）は裏打材Ｃの変形例であり、図１５（ａ）、（ｂ）は重なりのガイドとなる切り欠き２５、凸部２６を形成して、施工を容易にした例、図１５（ｃ）は内部に中空孔２７を設けて調湿機能を助長できる例、図１５（ｄ）は外周を耐火塗料等よりなる耐火被覆材２８でコーティングした裏打材Ｃの例である。
【００３１】
図１６（ａ）〜（ｆ）は屋根材Ｄを各々変形した例であり、特に図１６（ｅ）、（ｆ）は吊り子Ｈ（図中点線で示す）を用いて固定する構造の屋根材Ｄの例である。勿論、これらの部材を各々組み合わせた構造とすることができる。
【００３２】
【発明の効果】
以上説明したように、本発明に係る新生瓦屋根の軒先部改修構造によれば、▲１▼既存の新生瓦屋根を取り去ることなく、その上に形成することができるため、施工が簡単で、残材も出ず、施工期間も大幅に短縮できる改修構造となる。▲２▼唐草、スペーサ、段葺き用の屋根材の３重防水構造となり、防水性が大幅に向上する。▲３▼唐草と段葺き用の屋根材との間にスペーサを介在させることにより、段葺き用の屋根材のガタツキの防止、係合安定性が向上すると共に、裏打材の先端を当接することができるので、段葺き用の屋根材および裏打材の第１段目と第２段目以降の段差の角度を略同一とし、景観を向上させることができる。▲４▼既存屋根と裏打材の間には断面略三角形の空隙が形成されることになり、この空隙は新鮮な空気等の流通路として機能させることができ、裏打材が有する断熱材、防音材、調湿材等の機能をさらに助長させると共に、結露を防止して既存屋根、段葺き用の屋根材等の腐食防止に寄与する。▲５▼唐草の立ち上がり片、引っかけ片を固定片の途中に形成したので、唐草の最前線と段葺き用の屋根材の最前線との距離を短くすることができ、既存の雨樋をそのまま流用できる構造となる。▲６▼唐草をある程度簡単な形状の２部材に分割したのでハンドリングが良いため施工が容易であり、既存屋根の軒先先端から既存唐草まで確実に被覆でき、美観も向上する。等の特徴、効果がある。
【図面の簡単な説明】
【図１】本発明に係る新生瓦屋根の軒先部改修構造の代表例を示す説明図である。
【図２】上記構造に用いられる唐草を構成する化粧板と下地板の代表例を示す説明図である。
【図３】上記構造に用いられるスペーサの代表例を示す説明図である。
【図４】上記構造に用いられる裏打材の代表例を示す説明図である。
【図５】上記構造に用いられる段葺き用の屋根材の一例を示す説明図である。
【図６】上記構造に用いられる段葺き用の屋根材と裏打材の連結状態をを示す説明図である。
【図７】本発明に係る新生瓦屋根の軒先部改修構造の施工を示す説明図である。
【図８】本発明に係る新生瓦屋根の軒先部改修構造の施工を示す説明図である。
【図９】本発明に係る新生瓦屋根の軒先部改修構造の施工を示す説明図である。
【図１０】本発明に係る新生瓦屋根の軒先部改修構造の施工を示す説明図である。
【図１１】唐草を構成する化粧板のその他の例を示す説明図である。
【図１２】唐草を構成する下地板のその他の例を示す説明図である。
【図１３】唐草を構成する化粧板のその他の例を示す説明図である。
【図１４】スペーサのその他の例を示す説明図である。
【図１５】裏打材のその他の例を示す説明図である。
【図１６】段葺き用の屋根材のその他の例を示す説明図である。
【符号の説明】
Ａ  唐草
Ａ1   化粧板
Ａ2   下地板
Ｂ  スペーサ
Ｃ  裏打材
Ｄ  段葺き用の屋根材
Ｅ  雨樋
Ｆ  防水シート
Ｇ  パッキン
Ｈ  吊り子
α  既存の新生瓦屋根
α1   野地板
α2   アスファルトルーフィング
α3   新生瓦屋根材
α4   既存唐草
β  固定具
γ  空隙
１  嵌合溝
１ａ舌片
２  設置片
３  立ち上がり片
４  引っかけ片
５  固定片
５ａ  舌片
６  下地片
６ａ  舌片
７  差込部
８  垂下片
９  折り返し片
１０  水切り
１０ａ  屈曲部
１１  支持面
１２  係合片
１３  支持脚
１４  支持脚
１５  化粧面
１６  係合溝
１７  嵌合溝
１８  固定片
１９  裏面
２０  段差化粧面
２１  差込係合片
２２  連結片
２３  凹条
２４  凹凸
２５  切り欠き
２６  凸部
２７  中空孔
２８  耐火被覆材
【図１】
0003539783.tif 000002
【図２】
0003539783.tif 000003
【図３】
0003539783.tif 000004
【図４】
0003539783.tif 000005
【図５】
0003539783.tif 000006
【図６】
0003539783.tif 000007
【図７】
0003539783.tif 000008
【図８】
0003539783.tif 000009
【図９】
0003539783.tif 000010
【図１０】
0003539783.tif 000011
【図１１】
0003539783.tif 000012
【図１２】
0003539783.tif 000013
【図１３】
0003539783.tif 000014
【図１４】
0003539783.tif 000015
【図１５】
0003539783.tif 000016
【図１６】
0003539783.tif 000017